(57)【特許請求の範囲】
【請求項１】
機体に操作ハンドル（１３）と耕耘部（Ｋ）を設け、耕耘部（Ｋ）の後方に畝を形成する培土板（Ｂ）と、左右一対の転輪（１７）と、抵抗棒（１８）を設けた歩行型耕耘機において、
培土板（Ｂ）の培土面を平面状に形成し、培土板（Ｂ）の後方に左右一対の転輪（１７）を設け、
培土板（Ｂ）の背面と転輪（１７）の支持体（２５）を連結板（３１）で連結する構成とし、転輪（１７）を培土板（Ｂ）の幅内に設け、
畝を形成する培土作業時には培土板（Ｂ）の下端部及び転輪（１７）が圃場に接地する構成とし、
培土板（Ｂ）の上部の左右中央部には抵抗棒（１８）が貫通する切欠き部（２３）を形成し、
運搬作業時には、運転者が操作ハンドル（１３）を押し下げると、転輪（１７）が接地状態で、耕耘部（Ｋ）及び培土板（Ｂ）の下端部が圃場から上方に離間する位置となる構成とし、
培土板（Ｂ）が耕耘部（Ｋ）の後方に隣接する位置にあって斜め後下がり姿勢とする培土作業姿勢と、
培土板（Ｂ）及び転輪（１７）を一体に上方に回動して非作用姿勢とする耕耘作業姿勢とに切換わることを特徴とする歩行型耕耘機。
【発明の詳細な説明】
【技術分野】
【０００１】
本発明は、歩行型の耕耘機に関する。
【背景技術】
【０００２】
特許文献１には、左右一対の移動輪の支持体それぞれに左右一対の培土板を取りつけ、培土作業位置と培土非作業位置に切り換える技術が記載されている。
【先行技術文献】
【特許文献】
【０００３】
【特許文献１】特開2009-183235号公報
【発明の概要】
【発明が解決しようとする課題】
【０００４】
特許文献１においては、培土作業位置と培土非作業位置とするのに、左右一対の培土板それぞれ切り換え作業を要するため煩わしい。
【０００５】
本発明は、運搬作業、耕耘作業、培土作業をし易い歩行型耕耘機を提供することを課題とする。
【課題を解決するための手段】
【０００６】
この発明は、かかる技術的課題を解決するために次のような技術的手段を講ずる。すなわち、請求項１記載の発明は、
機体に操作ハンドル（１３）と耕耘部（Ｋ）を設け、耕耘部（Ｋ）の後方に畝を形成する培土板（Ｂ）と、左右一対の転輪（１７）と、抵抗棒（１８）を設けた歩行型耕耘機において、
培土板（Ｂ）の培土面を平面状に形成し、培土板（Ｂ）の後方に左右一対の転輪（１７）を設け、
培土板（Ｂ）の背面と転輪（１７）の支持体（２５）を連結板（３１）で連結する構成とし、転輪（１７）を培土板（Ｂ）の幅内に設け、
畝を形成する培土作業時には培土板（Ｂ）の下端部及び転輪（１７）が圃場に接地する構成とし、
培土板（Ｂ）の上部の左右中央部には抵抗棒（１８）が貫通する切欠き部（２３）を形成し、
運搬作業時には、運転者が操作ハンドル（１３）を押し下げると、転輪（１７）が接地状態で、耕耘部（Ｋ）及び培土板（Ｂ）の下端部が圃場から上方に離間する位置となる構成とし、
培土板（Ｂ）が耕耘部（Ｋ）の後方に隣接する位置にあって斜め後下がり姿勢とする培土作業姿勢と、
培土板（Ｂ）及び転輪（１７）を一体に上方に回動して非作用姿勢とする耕耘作業姿勢とに切換わることを特徴とする。
【発明の効果】
【０００７】
請求項１記載の発明においては、
運搬作業時では、転輪１７が圃場面に接地すると共に耕耘部Ｋ及び培土板Ｂの下端部が圃場面から離間して非作用状態とすることで、運搬作業時の機体を適切に支持し、かつ、培土板Ｂが運搬の邪魔になることを防止できる。
【０００８】
また、耕耘作業時に不要な転輪１７と培土板Ｂとを一体となって上方に回動することで、圃場面に作用しない姿勢となるため、操作が簡単である。
【０００９】
また、培土作業時では、耕耘部Ｋの回転による推進力で圃場を耕耘し、耕耘した土を培土板Ｂの前面で受けて左右両側に押し出し、左右に畝の傾斜面を形成することができる。また、車輪１７により耕耘深さを一定にすることができる。
【図面の簡単な説明】
【００１０】
【図１】側面から見た培土作業時の歩行型耕耘機を示す図
【図２】側面から見た運搬作業時の歩行型耕耘機を示す図
【図３】側面から見た耕耘作業時の歩行型耕耘機を示す図
【図４】背面から見た培土板及び車輪を示す図
【図５】（イ）側面から見た培土作業時の培土板と転輪の姿勢を示す図    （ロ）側面から見た運搬作業時の培土板と転輪の姿勢を示す図    （ハ）側面から見た耕耘作業時の培土板と転輪の姿勢を示す図
【図６】側面から見た歩行型耕耘機の概要図
【発明を実施するための形態】
【００１１】
本発明の歩行型耕耘機の基本構成について図６に基づいて説明する。なお、本実施の形態における前後とは機体の進行方向を指し、左右とは形成する畝側を指す。
【００１２】
この歩行型耕耘機は駆動源であるエンジン又は電動モータからの動力で耕耘部の耕耘爪を回転駆動させて耕耘作業を行い、歩行型耕耘機を運搬するときには遊転する車輪を接地させると共に耕耘部を地面から離間して車輪で移動するいわゆる車軸管理機である。
【００１３】
機体前後方向に延びる前機体フレーム１の前側上部にエンジン２を搭載し、後側に伝動軸３を内装する伝動ケース４を支持する。伝動ケース４は機体の左右方向中央部に上下方向に亘って配置し、伝動ケース４の下部から左右両側に耕耘軸５をそれぞれ延設する。そして、エンジン２の駆動軸２ａの動力が伝動ベルト８を経て伝動軸３に伝動し、次いで伝動軸３から耕耘軸５に伝動することにより、耕耘軸５に取り付けている多数の耕耘爪６が回転し耕耘作業を行なう構成である。耕耘軸５の左右両端にはサイドディスク７を設けている。
【００１４】
エンジン２の上部には燃料タンク１０を設け、前機体フレーム１の前端部には上向きに取り付けられるバンパー１１を設けている。燃料タンク１０の後方には操作ハンドル１３と、後機体フレーム２１に取り付けた変速レバー１４を備えている。
【００１５】
耕耘爪６の上側を耕耘カバー１５で覆って耕耘部Ｋを構成し、耕耘部Ｋの後部には畝を形成する培土板Ｂと、遊転する左右一対の車輪１７を設けている。培土板Ｂの上方には「く」の字状の抵抗棒１８を縦姿勢に保持する縦ホルダー１９と、抵抗棒１８を横姿勢に保持する横ホルダー２０を設け、それぞれ後機体フレーム２１に取り付ける構成である。
【００１６】
次に車輪１７と培土板Ｂの構成について図４と図５に基づいて説明する。
【００１７】
培土板Ｂは背面視で逆台形状に形成する平面の鉄板で、左右両端に後方に向かって屈曲する屈曲部２２を形成している。また、上部の左右中央には切欠き部２３を形成し、該切欠き部２３には中割れするゴム板２４を取りつける構成としている。
【００１８】
左右一対の車輪１７はそれぞれ培土板Ｂの下部の左右両端部の後方に対向する位置に設け、それぞれ支持体２５で支持される構成である。左右の支持体２５は横軸芯の回動軸２６で連結し、回動軸２６が回動すると左右の支持体２５及び車輪１７が共に前後方向に回動する構成である。
【００１９】
培土板Ｂは支持体２５に連結して左右の車輪１７及び支持体２５と共に回動する構成で、支持体２５の上部と培土板Ｂの上部とを連結する上部連結板３０と、支持体２５の下部と培土板Ｂの下部とを連結する下部連結板３１とで連結する構成である。上部連結板３０は一端を培土板Ｂに固着し、他端を支持体２５にピンで固定し、支持体２５に対して横軸芯に回動自在に構成している。
【００２０】
下部連結板３１は培土板Ｂ側に固着する固定部３１ａと、支持体２５側に連結する調節部３１ｂとで構成し、固定部３１ａと調節部３１ｂとはリンク動作可能に連結すると共に、調節部３１ｂには長孔３１ｄを形成して培土板Ｂの下部と車輪１７との前後方向の距離を変更する構成である。
【００２１】
支持体２５の回動軸２６の外周を回動軸２６を支持する中空状の回動支持軸３２で覆い、回動支持軸３２の外周には後機体フレーム２１側に固定する固定具３５と、位置合わせ孔２７ａを形成した位置合わせプレート２７を取り付けている。また、回動軸２６側には側面視扇形で複数個所の位置決め孔ｍ、ｎ、ｐを形成した位置決めプレート３３を取り付けている。そして、位置決めピン３４で位置決め孔ｍ、ｎ、ｐのいずれかと位置合わせ孔２７ａを合わせて挿入し、支持体２５、すなわち車輪１７と培土板Ｂの位置を培土作業位置、運搬作業位置、耕耘作業位置に変更する構成である。
【００２２】
次に耕耘しながら畝を形成する培土作業と、非耕耘時の歩行型耕耘機を移動する運搬作業と、通常の耕耘作業について説明する。
【００２３】
培土作業時（図１及び図５の（ロ）参照）は培土板Ｂと車輪１７との距離が広くなる位置に調節部３１ｂを調節して固定ボルト３１ｃで位置固定する。位置決めピン３４を培土作業位置孔ｍと位置合わせ孔２７ａに挿入して支持体２５を斜め後姿勢として車輪１７を接地すると、培土板Ｂが支持体２５より急傾斜の斜め後姿勢となり下端部が培土作用時に圃場Ｈに作用する姿勢となる。そして、作業者が操作ハンドル１３を把持して耕耘部Ｋの回転による推進力で圃場を耕耘し、耕耘した土を培土板Ｂの前面で受けて左右両側に押し出し、屈曲部２２の面で案内及び押圧することで左右に畝の傾斜面を形成する。このとき、車輪１７は耕耘深さを一定になるように調節する役割を果たしている。また、培土作業時には抵抗棒１８は不要なので横ホルダ２０に前後方向長手姿勢に収納し、運転操作および培土作業いずれにも邪魔しないようにしている。
【００２４】
運搬作業時（図２及び図５の（イ）参照）には、培土板Ｂと車輪１７との距離が狭くなる位置に調節部３１ｂを調節して固定ボルト３１ｃで位置固定する。位置決めピン３３を運搬作業位置孔ｎと位置合わせ孔２７ａに挿入して、支持体２５を地面に対して急傾斜又は略垂直の姿勢にして車輪を接地すると、培土板Ｂが斜め前姿勢となって圃場から非作用位置まで上方に離間する。また、運転者が操作ハンドル１３を押し下げると、耕耘部Ｋも地面から離間し、機体前側が斜め上向きになり、機体が運搬姿勢となる。このとき、培土板Ｂは耕耘爪６の耕耘回転軌跡Ｇ内に入らない構成としている。
【００２５】
通常の耕耘作業時（図３及び図５の（ハ）参照）は車輪１７と培土板Ｂは不要のため上方に回動して位置決めピン３３を耕耘作業位置孔ｐと位置合わせ孔２７ａに挿入して支持体２５を後斜め上姿勢にする。そして、抵抗棒１８を縦ホルダー１９で縦方向長手姿勢に保持し、下端部を圃場面Ｈに作用させる。このとき、抵抗棒１８は培土板Ｂの切欠き部２３のゴム板２４の中割れ部を貫通する構成である。
【００２６】
そして、作業者が操作ハンドル１３を把持して耕耘部Ｋの回転の推進力で耕耘作業がなされる。
【符号の説明】
【００２７】
１３    操作ハンドル
１７    転輪
２５    支持体
Ｋ    耕耘部
Ｂ    培土板
【図１】
0006041018.tif 000002
【図２】
0006041018.tif 000003
【図３】
0006041018.tif 000004
【図４】
0006041018.tif 000005
【図５】
0006041018.tif 000006
【図６】
0006041018.tif 000007